(57)【特許請求の範囲】
【請求項１】
車両に搭載されたテレビ表示制御装置であって、
前記車両の現在位置が属する地域を放送エリアとするテレビ放送局を特定し、特定した前記テレビ放送局のうち１つ（以下、表示対象放送局という）からの放送信号に基づいた映像を画像表示装置に表示させる表示制御手段と、
前記放送エリアとは異なる放送エリアを対象とするテレビ放送局について視聴制限を行う旨の視聴制限設定を受け付けて記録する設定記録手段と、
記録された前記視聴制限設定において視聴制限を行うことになっている視聴禁止放送局と、前記表示対象放送局とが、同じ放送局系列に属することに基づいて、前記表示対象放送局からの放送映像を前記画像表示装置に表示させることを禁止する禁止手段と、を有することを特徴とするテレビ表示制御装置。
【請求項２】
車両に搭載されたテレビ表示制御装置に用いるプログラムであって、
複数のテレビ放送局のうち一部について視聴制限を行う旨の視聴制限設定を受け付けて記録する設定記録手段と、
前記車両の現在位置が属する地域を放送エリアとするテレビ放送局のうち１つ（以下、表示対象放送局という）からの放送信号に基づいた映像を前記画像表示装置に表示させる表示制御手段、および
記録された前記視聴制限設定において視聴制限を行うことになっている視聴禁止放送局と、前記表示対象放送局とが同じ放送局系列に属することに基づいて、前記表示対象放送局からの放送映像を前記画像表示装置に表示させることを禁止する禁止手段として、コンピュータを機能させるプログラム。
【発明の詳細な説明】
【技術分野】
【０００１】
本発明は、テレビ表示制御装置およびテレビ表示制御装置用のプログラムに関する。
【背景技術】
【０００２】
従来、特定の放送局の放送を受信不可能にするテレビ放送受信装置が知られている（例えば、特許文献１、２参照）。
【特許文献１】特開２００７−１７４６９４号公報
【特許文献２】特開平５−３７８６８号公報
【特許文献３】特開平１０−１１２６３３号公報
【発明の開示】
【発明が解決しようとする課題】
【０００３】
本発明者は、このような放送局毎の視聴制限を行う技術を、車載用のテレビ表示制御装置に適用することを検討した。その結果、以下のような問題点を発見した。
【０００４】
車両は移動するため、受信可能な放送局が移動と共に変化してしまう。受信可能な放送局の変化に追従するための技術として、自車位置を特定し、地域毎に受信可能な放送局をまとめた放送局リストを用いて、現在の自車位置において視聴可能な放送局を特定する技術が知られている（例えば、特許文献３）。
【０００５】
このような技術に上述の視聴制限の技術を適用しても、当初視聴制限の対象となっていた放送局の放送エリアから出て、別の放送局の放送エリア内に入った場合、新しい放送エリア内で、当初視聴制限の対象となっていた放送局と同系列の放送局が視聴可能となってしまう。その結果、放送エリアが変化すると、視聴を制限していた番組が表示されてしまうことになる。
【０００６】
本発明は上記問題点に鑑み、テレビ放送局毎の視聴制限の技術を、車両用のテレビ表示制御装置に適用した際に、放送エリアが変わっても適切な視聴制限を継続することができるようにすることを目的とする。
【課題を解決するための手段】
【０００７】
上記目的を達成するための本発明は、車両に搭載され、車両の現在位置が属する地域を放送エリアとするテレビ放送局を特定し、特定した前記テレビ放送局のうち１つ（以下、表示対象放送局という）からの放送信号に基づいた映像を画像表示装置に表示させるテレビ表示制御装置についてのものである。
【０００８】
本発明の特徴は、このテレビ表示制御装置が、上記の放送エリアとは異なる放送エリアを対象とするテレビ放送局について視聴制限を行う旨の設定を受け付けて記録し、記録された当該視聴制限設定において視聴制限を行うことになっている視聴禁止放送局と、表示対象放送局とが、同じ放送局系列に属することに基づいて、表示対象放送局からの放送映像の画像表示装置への表示を禁止することである。
【０００９】
このようになっているので、車両がある放送エリア内から他の放送エリア内に移っても、元のエリアでユーザが視聴制限を行う旨設定を行った視聴禁止放送局と同系列のテレビ放送局の映像は画像表示装置に表示されない。したがって、放送エリアが変わっても適切な視聴制限を継続することができる。
【００１０】
なお、ここでいう「表示対象放送局からの放送映像を画像表示装置に表示させることを禁止する」という作動は、当該放送局からの信号の受信自体を禁止することで実現してもよいし、当該放送局からの信号を受信するものの、当該受信した信号に基づいた映像を画像表示装置に表示することを禁止することで実現するようになっていてもよい。すなわち、結果的に画像表示装置に当該映像が表示されないようにすれば、どのような方法を用いてもよい。そして、本発明は、本発明に係るテレビ表示制御装置に用いるプログラムとしても捉えることができる。
【発明を実施するための最良の形態】
【００１１】
以下、本発明の一実施形態について説明する。図１に、本実施形態に係る車両用ナビゲーション装置１のハードウェア構成を示す。この車両用ナビゲーション装置１は、位置検出器１１、画像表示装置１２、操作部１３、スピーカ１４、ＴＶチューナ１５、地図データ取得部１６、および制御回路１７を有している。
【００１２】
位置検出器１１は、いずれも周知の図示しない地磁気センサ、ジャイロスコープ、車速センサ、およびＧＰＳ受信機等のセンサを有しており、これらセンサの各々の性質に基づいた、車両の現在位置、向き、および速度を特定するための情報を制御回路１７に出力する。
【００１３】
画像表示装置１２は、制御回路１７の制御に基づいて、映像をユーザに表示する。表示する映像としては、地図画像、テレビ映像等がある。
【００１４】
操作部１３は、車両用ナビゲーション装置１に設けられた複数のメカニカルスイッチ、画像表示装置１２の表示面に重ねて設けられたタッチパネル等の入力装置から成り、ユーザによるメカニカルスイッチの押下、タッチパネルのタッチに等に基づいた信号を制御回路１７に出力する。
【００１５】
ＴＶチューナ１５は、制御回路１７によって指定されたチャネル（具体的には周波数）でテレビ放送局からテレビ放送信号を受信し、受信した放送信号を制御回路１７に出力する。なお、本実施形態においては、ＴＶチューナ１５が受信するテレビ放送の種別は、地上アナログテレビ放送であるとする。しかし、ＴＶチューナ１５が受信するテレビ放送の種別は、地上デジタルテレビ放送のＨＤＴＶ（高精細度テレビジョン放送）またはＳＤＴＶ（標準画質テレビジョン放送）（以下、ＨＤＴＶおよびＳＤＴＶを、単に地上デジタル放送と総称する）であってもよいし、地上デジタルテレビ放送における携帯電話・移動体端末向けの1セグメント部分受信サービス用の放送（以下、単にワンセグ放送という）であってもよい。
【００１６】
地図データ取得部１６は、ＨＤＤ等の不揮発性の記憶媒体およびそれら記憶媒体に対してデータの読み出しおよび書き込みを行う装置から成る。当該記憶媒体は、制御回路１７が実行するプログラム、経路案内用の地図データ、テレビ視聴用の地域別放送局データ、放送局系列データ等を記憶している。また、後述する視聴禁止放送局リストを記憶することができるようになっている。
【００１７】
地図データは、道路データおよび施設データを有している。道路データは、リンクの位置情報、種別情報、ノードの位置情報、種別情報、および、ノードとリンクとの接続関係の情報等を含んでいる。施設データは、施設毎のレコードを複数有しており、各レコードは、対象とする施設の名称情報、所在位置情報、施設種類情報等を示すデータを有している。
【００１８】
地域別放送局データは、地域毎に、その地域で受信可能なテレビ放送局の名称および当該テレビ放送局のチャネルをリストアップしたデータである。放送局系列データは、放送局系列毎に、その放送局系列（例えば、フジテレビ（登録商標）系列、日本テレビ（登録商標）系列）に属するテレビ放送局の名称をリストアップしたデータである。
【００１９】
制御回路（コンピュータに相当する）１７は、ＣＰＵ、ＲＡＭ、ＲＯＭ、Ｉ／Ｏ等を有するマイコンである。ＣＰＵは、ＲＯＭまたは地図データ取得部１６から読み出した車両用ナビゲーション装置１の動作のためのプログラムを実行し、その実行の際にはＲＡＭ、ＲＯＭ、および地図データ取得部１６から情報を読み出し、ＲＡＭおよび地図データ取得部１６の記憶媒体に対して情報の書き込みを行い、位置検出器１１、画像表示装置１２、操作部１３、およびスピーカ１４と信号の授受を行う。
【００２０】
制御回路１７がプログラムを実行することによって行う具体的な処理としては、現在位置特定処理、誘導経路算出処理、経路案内処理、視聴可否設定処理、テレビ表示処理等がある。
【００２１】
現在位置特定処理は、位置検出器１１からの信号に基づいて、周知のマップマッチング等の技術を用いて車両の現在位置や向きを特定する処理である。誘導経路算出処理は、操作部１３からユーザによる目的地の入力を受け付け、現在位置から当該目的地までの最適な誘導経路を算出する処理である。経路案内処理は、地図データ取得部１６から地図データを読み出し、算出された誘導経路、目的地、経由地および現在位置等をこの地図データの示す地図上に重ねた画像を、画像表示装置１２に出力し、案内交差点の手前に自車両が到達したとき等の必要時に、右折、左折等を指示する案内音声信号をスピーカ１４に出力させる処理である。
【００２２】
視聴可否設定処理は、ＴＶチューナ１５が現在受信可能な複数のテレビ放送局のうち、一部または全部について視聴制限を行う旨のユーザ設定を、操作部１３を介して受け付けて記録するための処理である。
【００２３】
テレビ表示処理は、現在受信可能な複数のテレビ放送局から１つを選び、その選んだテレビ放送局からの放送信号に基づいた映像および音声をユーザに表示するための処理である。ただし、テレビ表示処理において、制御回路１７は、視聴可否設定処理において視聴制限を行う旨の記録がされたテレビ放送局およびそのテレビ放送局と同一系列のテレビ放送局については、その表示を禁止する。
【００２４】
以下、これら視聴可否設定処理およびテレビ表示処理について詳細に説明する。まず、図２に、視聴可否設定処理のために制御回路１７が実行するプログラム１００をフローチャートで示す。
【００２５】
制御回路１７は、ユーザによって所定の設定開始操作が操作部１３に対して行われたときに、このプログラム１００の実行を開始する。そしてまずステップ１１０で、画像表示装置１２の表示対象を、視聴可否設定画面に切り替える。
【００２６】
続いてステップ１２０で、現在視聴可能な放送局（すなわち、現在ＴＶチューナ１５が放送信号を受信可能な放送局）のリストを作成する。具体的には、現在位置特定処理を実行して自車両の現在位置を特定し、続いて地図データ取得部１６中の地域別放送局データに基づいて、当該現在位置が属する地域で受信可能な（すなわち当該地域を放送エリアとする）テレビ放送局をすべて抽出する。
【００２７】
続いてステップ１３０では、画像表示装置１２を制御して、ステップ１２０にて作成されたリストを、視聴可否設定画面に重畳表示させる。この表示されたリスト中の各テレビ放送局は、ユーザが操作部１３を用いて個々に選択することができる。
【００２８】
続いてステップ１４０では、ステップ１３０で表示させたリスト中の１つまたは複数のテレビ放送局に対するユーザの選択操作を待ち、選択操作があると、続いてステップ１５０を実行する。
【００２９】
ステップ１５０では、ステップ１４０において選択操作の対象となったテレビ放送局を、視聴禁止放送局として特定し、特定したテレビ放送局を、地図データ取得部１６の視聴禁止放送局リストに追加記録する。
【００３０】
なお、上記のユーザの選択操作が、既に視聴禁止放送局となっているテレビ放送局に対して行われた場合、制御回路１７は、その操作を、当該テレビ放送局を視聴禁止放送局でないものとする旨の操作であると判定し、視聴禁止放送局リストから当該テレビ放送局の記録を削除するようになっていてもよい。ステップ１５０の後、プログラム１００の実行を終了する。
【００３１】
このようなプログラム１００をユーザの要求の度に実行することで、視聴可否設定処理において、ユーザが視聴制限を行いたいテレビ放送局を視聴禁止放送局として記録することができる。
【００３２】
次に、テレビ表示処理について説明する。制御回路１７は、ユーザによって所定のテレビ視聴開始操作が操作部１３に対して行われたときに、このプログラム１００の実行を開始する。
【００３３】
そしてまずステップ２１０で、現在位置特定処理を実行することで自車両の現在位置を特定する。続いてステップ２２０で、現在位置において受信可能な放送局リストを、地図データ取得部１６中の地域別放送局データに基づいて特定する。
【００３４】
続いてステップ２３０では、それら放送局リスト中の複数のテレビ放送局のうち１つを、画像表示装置１２に表示させる対象のテレビ放送局（以下表示対象放送局という）として選択する。具体的な選択方法としては、例えば、ユーザによる操作部１３を用いた特定のテレビ放送局の指定操作に基づいて選択してもよいし、前回のテレビ放送の表示時に放送していたテレビ放送局と同じテレビ放送局を選択してもよいし、放送エリアの境界を越えた直後の場合、新しく入った放送エリアにおけるテレビ放送局のうち、それまで受信・表示していたテレビ放送局と同系列のテレビ放送局を選択してもよい。なお、２つのテレビ放送局が同系列であるか否かは、地図データ取得部１６中の放送局系列データに基づいて判定する。
【００３５】
続いてステップ２４０では、地図データ取得部１６の視聴禁止放送局リスト中に、視聴禁止放送局が１つ以上記録されていか否かを判定する。記録されている場合、続いてステップ２５０を実行し、記録されていない場合、続いてステップ２９０で、表示対象放送局からの映像を画像表示装置１２に表示させると共に、表示対象放送局からの音声をスピーカ１４に出力させる。
【００３６】
ステップ２５０では、表示対象放送局が属する放送局系列を、放送局系列データに基づいて判定する。さらにステップ２６０では、視聴禁止放送局が属する放送局系列のすべてを、放送局系列データに基づいて判定する。
【００３７】
続いてステップ２７０では、ステップ２５０で特定した表示対象放送局の放送局系列が、ステップ２６０で特定した視聴禁止放送局の放送局系列のうちいずれかに一致するか否かを判定する。いずれかに一致する場合続いてステップ２８０を実行し、いずれにも一致しない場合、続いてステップ２９０で、表示対象放送局からの映像を画像表示装置１２に表示させると共に、表示対象放送局からの音声をスピーカ１４に出力させる。
【００３８】
ステップ２８０では、表示対象放送局からの映像を画像表示装置１２に表示させること、および、表示対象放送局からの音声を画像表示装置１２に表示させることを、禁止する。なおこの際制御回路１７は、画像表示装置１２またはスピーカ１４を用いて、ユーザに対して、当該表示対象放送局は視聴禁止放送局であるので表示できない旨を、通知するようになっていてもよい。
【００３９】
以上のような視聴可否設定処理およびテレビ表示処理の典型的な適用例について説明する。ある放送エリアＸ内（例えば京阪神地域の放送エリア）において、ユーザが操作部１３を用いて、視聴可否設定処理を起動させ、当該放送エリア内の特定の放送局Ａ（例えば、ＮＨＫ大阪（登録商標）、関西テレビ（登録商標）等）について視聴制限する旨の操作を行ったとする。この場合、制御回路１７は、プログラム１００のステップ１４０において、この操作を受け付け、ステップ１５０において、当該特定のテレビ放送局Ａを視聴禁止放送局として視聴禁止放送局リストに記録する。
【００４０】
続いて、自車両が移動して上記の放送エリアＸとは異なる放送エリアＹ（例えば東海地域の放送エリア）内に入り、そこでテレビ視聴のための操作を操作部１３に対して行ったとする。その場合、制御回路１７は、プログラム２００の実行において、現在位置が属する地域を放送エリアとするテレビ放送局リストを取得し（ステップ２１０、２２０）、特定したテレビ放送局リストのうち１つ（ＮＨＫ名古屋（登録商標）、東海テレビ（登録商標）、ＣＢＣテレビ（登録商標）等）を、表示対象のテレビ放送局Ｂとして特定する（ステップ２３０）。
【００４１】
そして、記録された視聴禁止放送局Ａの放送局系列（例えば、ＮＨＫ（登録商標）系列、フジテレビ（登録商標）系列）と、表示対象放送局Ｂの放送局系列（例えば、ＮＨＫ（登録商標）系列、フジテレビ（登録商標）系列、ＴＢＳ（登録商標）系列）とを比較し（ステップ２７０）、同じでなければ、その表示対象放送局Ｂからの放送映像を画像表示装置１２に表示させると共にスピーカ１４に音声表示させ（ステップ２９０）、同じであれば、その表示対象放送局Ｂからの放送映像を画像表示装置１２に表示させず、かつ、スピーカ１４に放送音声を出力させない（ステップ２８０）。
【００４２】
以上説明した通り、車両用ナビゲーション装置１は、放送エリアＸを対象とする特定のテレビ放送局Ａについて視聴制限を行う旨の設定を受け付けて記録し、記録された視聴禁止放送局Ａと、別の放送エリアＹにおける表示対象放送局Ｂとが、同じ放送局系列に属することに基づいて、表示対象放送局からの放送映像の画像表示装置への表示を禁止する。
【００４３】
このようになっているので、車両がある放送エリア内から他の放送エリア内に移っても、元のエリアでユーザが視聴制限を行う旨設定を行った視聴禁止放送局と同系列のテレビ放送局の映像は画像表示装置１２に表示されない。したがって、放送エリアが変わっても適切な視聴制限を継続することができる。
【００４４】
なお、本実施形態においては、車両用ナビゲーション装置１がテレビ表示制御装置の一例に相当する。ただし、制御回路１７をテレビ表示制御装置の一例として捉えることも可能である。また、制御回路１７が、プログラム１００を実行することで設定記録手段の一例として機能し、プログラム２００のステップ２９０を実行することで表示制御手段の一例として機能し、プログラム２００のステップ２４０〜２８０を実行することで禁止手段の一例として機能する。
【００４５】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００４６】
例えば、ＴＶチューナ１５は、地上アナログテレビ放送、地上デジタル放送、ワンセグ放送という放送方式の異なる３種類のテレビ放送のいずれも受信できるようになっていてもよい。この場合、制御回路１７は、上記実施形態の作動に加え、操作部１３を用いたユーザの設定操作に基づいて、放送種類毎に、視聴の可・不可を切り替えるようになっていてもよい。例えば、ユーザが操作部１３を用いてある種類のテレビ放送（例えば地上アナログ）の視聴を制限する旨の操作を行った場合、制御回路１７は、当該種類のすべてのチャネルについて、そのチャネルの放送映像の表示を禁止する。
【００４７】
このようにすることで、同じ放送局でも放送方式が変われば視聴の可否も変化するようになる。このようになっていることで、例えば、ある放送局の放送の受信および表示が、ある方式（例えば地上デジタル放送）では有料であり、別の方式（例えばワンセグ放送）では無料である場合のような、放送方式によってユーザにかかるコストが変化する場合に、コストの高い方式の使用を制限することができるようになる。
【００４８】
あるいは、ＴＶチューナ１５が上記３種類のテレビ放送のいずれも受信できるようになっている場合、制御回路１７は、ユーザの設定操作に基づいて、放送局系列と放送種別の組毎に、視聴の可・不可を切り替えるようになっていてもよい。
【００４９】
この場合、制御回路１７は、図２に示したプログラム１００のステップ１３０で、３種類のテレビ放送のすべてについて、現在視聴可能なすべての放送局を表示し、続いてステップ１４０で、ユーザから、放送の種類と放送局の組の指定、および、当該組についてのテレビ視聴の制限の指定を受け付け、ステップ１５０で、指定された組を視聴禁止放送局リストに記録するようになっていてもよい。
【００５０】
さらにこの場合、制御回路１７は、プログラム２００の実行において、ステップ２３０で、表示対象放送局および放送方式を（例えば操作部１３を用いたユーザの放送局および方式の指定に従って）特定し、ステップ２７０では、表示対象放送局の属する放送局系列および使用する放送方式の組が、視聴禁止放送局リストに記録された組のいずれかに一致するか否かを判定し、一致すれば続いてステップ２８０を実行し、一致しなければ続いてステップ２９０を実行するようになっていてもよい。
【００５１】
このような処理によって、図４、図５に表形式で示すような、テレビ視聴の可否のきめ細かい設定が可能となる。なお図４の例は、Ａ放送局系列のアナログテレビ放送のみが視聴禁止となった場合を示し、図５の例は、ＢおよびＤ放送局系列の地上デジタル放送およびワンセグ放送以外のすべてが視聴禁止放となった場合を示す。
【００５２】
また、ステップ２３０における放送方式の特定は、各放送方式による放送信号の受信感度に基づいて決定してもよい。例えば、ＴＶチューナ１５の受信感度が基準値（例えば地上デジタル放送を正常に表示できる最低限の値）より高い場合には地上デジタル放送の方式で放送を受信し、当該基準地より低い場合にはワンセグ放送の方式で放送を受信するようになっていてもよい。
【００５３】
あるいは、ＴＶチューナ１５が上記３種類のテレビ放送のいずれも受信できるようになっている場合、制御回路１７は、ユーザの設定操作に基づいて、放送局系列毎に、３つの放送の種類に渡って連動して、視聴の可・不可を切り替えるようになっていてもよい。
【００５４】
また、視聴禁止放送局リスト等の、更新が必要なデータは、地図データ取得部１６に限らず、他の、車両用ナビゲーション装置１の主電源の供給が停止してもデータを保持し続けることができる記憶媒体（例えばフラッシュメモリ、ＥＥＰＲＯＭ、バックアップＲＡＭ）に記憶されるようになっていてもよい。その場合、地図データ取得部１６の記憶媒体は、ＨＤＤ等の書き込み可能な記憶媒体である必要はなく、ＤＶＤ、ＣＤ−ＲＯＭ等の書き込み不可能な記憶媒体であってもよい。
【００５５】
また、上記の実施形態において、制御回路１７がプログラムを実行することで実現している各機能は、それらの機能を有するハードウェア（例えば回路構成をプログラムすることが可能なＦＰＧＡ）を用いて実現するようになっていてもよい。
【００５６】
また、上記実施形態においては、ナビゲーション装置は車載タイプのものであるが、ナビゲーション装置は、船舶や飛行機に搭載されるものであってもよいし、人が持ち運びできるタイプのものであってもよい。例えば、ナビゲーション装置の機能を有する携帯電話機も、本発明のナビゲーション装置に該当する。
【図面の簡単な説明】
【００５７】
【図１】本発明の実施形態に係る車両用ナビゲーション装置１の構成を示すブロック図である。
【図２】制御回路１７が実行するプログラム１００のフローチャートである。
【図３】制御回路１７が実行するプログラム２００のフローチャートである。
【図４】他の実施形態における、放送の種類と放送局の組、毎に設定された視聴の可否の状態を示す図表である。
【図５】他の実施形態における、放送の種類と放送局の組、毎に設定された視聴の可否の状態を示す図表である。
【符号の説明】
【００５８】
１…車両用ナビゲーション装置、１１…位置検出器、１２…画像表示装置、
１３…操作部、１４…スピーカ、１５…ＴＶチューナ、１６…地図データ取得部、
１７…制御回路、１００、２００…プログラム。
【図１】
0004952532.tif 000002
【図２】
0004952532.tif 000003
【図３】
0004952532.tif 000004
【図４】
0004952532.tif 000005
【図５】
0004952532.tif 000006